(57)【要約】【課題】トンネル用照明装置の透光性カバーとして、耐熱温度が低い安価な合わせガラスを用いる。【解決手段】ランプソケット１２に保持されたランプ１６から出射された光が照射される開口３に、透光性カバーとして合わせガラス９を取付ける。さらに、ランプ１６の口金１７の近傍の発熱領域を覆う位置であって、ランプ１６と合わせガラス９との間に遮熱体１４を設ける。これにより、ランプ１６の点灯時には口金１７の近傍の発熱領域からの発熱量が最も多くなるが、その熱が遮熱体１４により遮熱されて合わせガラス９に伝わる熱が少なくなり、合わせガラス９の温度上昇が抑制される。このため、合わせガラス９に用いる接着層が耐熱温度が低く安価なものであってもその接着層の変色や強度低下が防止され、トンネル用照明装置における開口３を閉止する透光性カバーとして、安価な接着層を用いた安価な合わせガラス９を使用することが可能となる。【選択図】    図４
2004259676.tif 000002
【特許請求の範囲】
【請求項１】
一面に開口が形成された照明器具本体と；
前記照明器具本体内に設けられ、前記開口から光を出射する位置に位置づけしてランプを保持するランプソケットと；
前記照明器具本体内に収納され、前記ランプから出射された光を前記開口に向けて反射する位置に位置付けられた反射体と；
前記ランプから出射された光を透光可能であって前記開口を閉止する位置に取付けられた合わせガラスと；
前記ランプソケットに保持される前記ランプの口金の近傍の発熱領域を覆う位置であって、前記ランプと前記合わせガラスとの間に位置付けられた遮熱体と；を具備するトンネル用照明装置。
【請求項２】
前記ランプソケットは、屈曲形の蛍光ランプを保持する請求項１記載のトンネル用照明装置。
【発明の詳細な説明】
【０００１】
【発明の属する技術分野】本発明は、トンネル用照明装置に関する。
【０００２】
【従来の技術】トンネル内に設置されているトンネル用照明装置としては蛍光ランプを使用したものが広く普及しており、このようなトンネル用照明装置は、一端に開口が形成された照明器具本体、照明器具本体内に収納された蛍光ランプ、蛍光ランプから出射された光を透光可能であって開口を閉止する位置に取付けられた透光性カバー等により構成されている（例えば、特許文献１、２参照）。
【０００３】
透光性カバーとしては、傷が付きにくいこと、煤煙等が付着した場合でも洗浄によって透光性を長期間に渡って維持できること、割れにくいこと等の条件を満たすものが好適であり、例えば、強化ガラス等が使われている。
【０００４】
しかし、強化ガラスは割れにくいものの割れた場合には周囲に飛散する。トンネル内のように車両通行が日夜行われて清掃を行いにくい路面にガラスが飛散することは、飛散したガラスによる二次災害の原因ともなり、好ましくない。
【０００５】
このような点から、トンネル用照明装置の透光性カバーとして、合わせガラスを使用することが考えられる。合わせガラスとは、２枚のガラスを接着層で接着したものであり、合わせガラスが割れた場合でも割れたガラスが接着層に接着した状態に維持されるため、割れたガラスが飛散しないという特徴がある。
【０００６】
また、トンネル用照明装置で用いられる蛍光ランプは、口金近傍に位置するフィラメントからの発熱により、口金近傍の管壁温度が９０〜１００℃に上昇する。
【０００７】
【特許文献１】
特開平１０−３０８１０９号公報
【特許文献２】
特開平１１−２１３７１６号公報
【０００８】
【発明が解決しようとする課題】合わせガラスの接着層としてはＰＶＢ（ポリブチルビニラート）が広く使用されており、このＰＶＢは耐熱温度が６０〜７０℃である。このため、このＰＶＢを使用した合わせガラスをトンネル用照明装置の透光性カバーとして用いると、蛍光ランプからの熱によりＢＶＢの変色や強度低下が生じやすくなる。
【０００９】
また、合わせガラスの接着層として、耐熱温度が２００℃程度と高いＥＶＡ（エチレンビニルアセテート；フッ素系樹脂層）を用いたものが開発されている。このような耐熱性樹脂にフッ素樹脂などが用いられる例としては、特開平７−２８７２１８号公報に開示されたものが知られている。このＥＶＡはＰＶＢに比べて高価な材料であるため、ＥＶＡを用いた合わせガラスは高価になり、その合わせガラスを用いたトンネル用照明装置も高価になる。このため、製品コストを考慮すると、接着層としてＥＶＡを用いた合わせガラスをトンネル用照明装置に採用することはできない。
【００１０】
本発明の目的は、透光性カバーとして安価な合わせガラスを用いたトンネル用照明装置を得ることである。
【００１１】
【課題を解決するための手段】請求項１記載の発明のトンネル用照明装置は、  一面に開口が形成された照明器具本体と；前記照明器具本体内に設けられ、前記開口から光を出射する位置に位置づけしてランプを保持するランプソケットと；前記照明器具本体内に収納され、前記ランプから出射された光を前記開口に向けて反射する位置に位置付けられた反射体と；前記ランプから出射された光を透光可能であって前記開口を閉止する位置に取付けられた合わせガラスと；前記ランプソケットに保持される前記ランプの口金の近傍の発熱領域を覆う位置であって、前記ランプと前記合わせガラスとの間に位置付けられた遮熱体と；を具備する。
【００１２】
したがって、ランプソケットに保持したランプを照明器具本体内で点灯させた場合には、ランプから出射された光が直接又は反射体で反射された後に開口に向けて進行し、合わせガラスを透光して開口から外部に照射される。このランプの点灯時にはランプが発熱し、特に、ランプとしてフィラメントが存在する蛍光ランプを使用すると、口金の近傍の発熱領域が最も発熱量が大きくなる。しかし、この口金の近傍で発生した熱は、遮熱体で遮熱され、合わせガラスに伝わる熱が少なくなる。このため、合わせガラスの温度上昇が抑制され、合わせガラスに用いられている接着層が耐熱温度が低く安価なものであってもその接着層の変色や強度低下が防止される。これにより、トンネル用照明装置における開口を閉止する透光性カバーとして、安価な接着層を用いた安価な合わせガラスを使用することが可能となり、この合わせガラスを用いることにより、事故などにより合わせガラスが割れた場合でも合わせガラスを形成しているガラスの飛散が防止され、飛散したガラスによる二次災害の発生が防止される。
【００１３】
請求項２記載の発明は、請求項１記載の発明のトンネル用照明装置において、前記ランプソケットは、屈曲形の蛍光ランプを保持する。
【００１４】
したがって、屈曲形の蛍光ランプは、ランプ長が長くなってワット数が高くなるとともにフィラメント近傍の発熱領域からの発熱量がより多い口金の近傍が高熱となるが、その熱を遮熱体で有効に遮熱することができる。このため、屈曲形の蛍光ランプを使用したトンネル用照明装置であっても、合わせガラスの温度上昇が抑制され、トンネル用照明装置における開口を閉止する透光性カバーとして、安価な接着層を用いた安価な合わせガラスを使用することが可能となる。
【００１５】
【発明の実施の形態】本発明の第一の実施の形態を図１ないし図４に基づいて説明する。図１はトンネル用照明装置を示す平面図、図２はその正面図、図３は図１におけるＡ−Ａ線断面図、図４は図１におけるＢ−Ｂ線断面図である。
【００１６】
このトンネル用照明装置１は、ステンレス製の照明器具本体２を有し、この照明器具本体２にはトンネル内への取付状態において下方向きとなる一面に開口３が形成されている。
【００１７】
照明器具本体２は、上部ケース４と下部ケース５とを連結することにより長尺形状に形成されており、開口３は下部ケース５に形成されている。上部ケース４と下部ケース５との連結は、上部ケース４と下部ケース５との長手方向の一方の縁部に設けられた蝶番６と、その蝶番６が設けられた縁部と反対側の縁部に設けられたラッチ７とにより行われている。上部ケース４と下部ケース５との縁部の重ね合わせ部分には、パッキング８が介装されて水気が浸入しないように処理されている。ラッチ７の係合を解除すると、下部ケース５が上部ケース４に対して蝶番６を支点として回動可能となる。上部ケース４の長手方向両端側の外周側上面には、被取付部４ａが固定されている。この被取付部４ａは、トンネル用照明装置１をトンネル内に取付けるときに使用されるもので、被取付部４ａに形成されたネジ穴４ｂに挿入したネジ（図示せず）をトンネル内壁などに設けられた図示しないステーにネジ止めすることによりトンネル用照明装置１のトンネル内への取付けが行われる。
【００１８】
開口３には、光を透光する性質を有する合わせガラス９がゴムパッキング１０を用いて嵌め込まれている。この合わせガラス９は、２枚のガラスを接着層で接着することにより形成されている。接着層としては、安価な材料であるＰＶＢが使用されている。合わせガラス９を形成する２枚のガラスとしては、照明器具本体２の内側に位置するガラスは熱処理されて耐熱性を高められたガラス、照明器具本体２の外側に位置するガラスは歪を入れた強化ガラスが用いられている。
【００１９】
上部ケース４の内側上面部であって長手方向の両端には、取付部１１ａ、１１ｂが設けられている。一方の取付部１１ａには、安定器や端子台等の点灯装置（図示せず）、ランプソケット１２、反射体１３の一端、遮熱体１４等が取付けられている。他方の取付部１１ｂには、反射体１３の他端、ホルダー１５等が取付けられている。取付部１１ａ、１１ｂへの反射体１３の取付けは、反射体１３に形成した挿通穴（図示せず）に取付部１１ａ、１１ｂを挿通し、挿通穴の縁部に形成した取付片（図示せず）を取付部１１ａ、１１ｂにネジ止めすることにより行われている。
【００２０】
照明器具本体２内にはランプであるＵ字形に屈曲した屈曲形の蛍光ランプ１６が収納されており、この蛍光ランプ１６の一対の口金１７は同じ側に設けられ、口金１７をランプソケット１２に挿入することにより蛍光ランプ１６が保持されている。蛍光ランプ１６におけるＵ字形の屈曲側部分は、ホルダー１５に挿入して保持されている。照明器具本体２内に収納され、口金１７をランプソケット１２に挿入して保持された蛍光ランプ１６は、開口３から光を出射するように位置付けされるとともに合わせガラス９と平行に対向するように位置付けされている。
【００２１】
反射体１３は、照明器具本体２の長手方向と直交する面の断面が凹面状に湾曲した反射面１３ａを有し、反射面１３ａの内側に蛍光ランプ１６が配置されている。蛍光ランプ１６から出射された光は直接又は反射面１３ａで反射した後に開口３に向けて進行し、合わせガラス９を透光して照明器具本体２の外部に照射される。
【００２２】
なお、反射面１３ａの断面形状は、凹面状であればよく、湾曲した面に限らず、平面を組み合わせた台形状、曲面と平面とを組み合わせた形状等であってもよい。
【００２３】
遮熱体１４は、蛍光ランプ１６の口金１７の近傍、少なくとも、蛍光ランプ１６の口金１７の近傍に配置されたフィラメントを覆う領域であって、蛍光ランプ１６と合わせガラス９との間に位置付けされて取付けられている。取付部１１ａへの遮熱体１４の取付けは、ネジ止めにより行われている。なお、取付部１１ａへの遮熱体１４の取付け構造は他の形式であってもよく、例えば、一端側を蝶番形式として取付部１１ａに取付け、他端側をラッチ形式で取付部１１ａに取付けてもよい。遮熱体１４は、蛍光ランプ１６から発せられた熱が合わせガラス９に伝わらないように遮熱するための部材であり、熱伝導性が低いことが好適である。例えば、セラミックスや耐熱性樹脂等を用いることができる。金属を用いる場合には熱伝導性が低いステンレス等が好適である。
【００２４】
このような構成において、トンネル用照明装置１の蛍光ランプ１６を点灯させると蛍光ランプ１６から発熱し、特に、フィラメントが存在する口金１７の近傍の発熱領域が最も発熱量が大きくなる。しかし、この口金１７の近傍の発熱領域で発生した熱は、遮熱体１４で遮熱され、合わせガラス９に伝わる熱が少なくなり、合わせガラス９の温度上昇が抑制される。
【００２５】
このため、合わせガラス９に用いられる接着層として、耐熱性が６０〜７０℃と低く安価な材料であるＰＶＢを使用しても、熱の影響によるその接着層の変色や劣化が防止される。なお、蛍光ランプ１６における口金１７の近傍以外の部分では、発熱量が少ないためにその熱が遮熱されることなく合わせガラス９に伝わっても、熱の影響による接着層として使用しているＰＶＢの変色や劣化は生じない。
【００２６】
これにより、トンネル用照明装置１における照明光が出射される開口３を閉止する透光性カバーとして安価な合わせガラス９を用いることができ、合わせガラス９を用いることによりその合わせガラス９が割れた場合であってもその合わせガラス９を形成しているガラスの飛散が防止され、割れて飛散したガラスが原因となる二次災害の発生を防止することができる。
【００２７】
本発明の第二の実施の形態を図５ないし図７に基づいて説明する。なお、図１ないし図４において説明した部分と同じ部分は同じ符号で示し、説明も省略する。本実施の形態のトンネル用照明装置２１では、第一の実施の形態で説明したトンネル用照明装置１に対し、第一の実施の形態で説明した遮熱体１４と同じ構造の遮熱体２２を取付部１１ｂに取付けたものである。この遮熱体２２は、蛍光ランプ１６のＵ字形の屈曲側部分を覆う位置であって、蛍光ランプ１６と合わせガラス９との間に位置付けされて取付けられている。取付部１１ｂへの遮熱体１４の取付けは、ネジ止めにより行われている。なお、取付部１１ｂへの遮熱体２２の取付け構造は他の形式であってもよく、例えば、一端側を蝶番形式として他端側をラッチ形式としてもよい。
【００２８】
このような構成において、遮熱体２２は、蛍光ランプ１６から発せられた熱が合わせガラス９に伝わらないようにするものであり、これにより、合わせガラス９に対する遮熱作用と同時に、蛍光ランプ１６の保温作用を発揮することになる。なお、口金１７の近傍に設けてある遮熱体１４も、合わせガラス９に対する遮熱作用と同時に蛍光ランプ１６の保温作用を発揮する。
【００２９】
図７は、遮熱体１４、２２を設けたトンネル用照明装置２１と、このような遮熱体１４、２２を設けない構造のトンネル用照明装置とを用いて行った周囲温度による光束比の変化状態の実験結果を示すグラフである。
【００３０】
図７のグラフからわかるように、遮熱体１４、２２を設けることにより低温特性の改善、つまり、低温時における光光束の上昇、及び、それに伴う照度向上が見られた。これは、Ｕ字形の蛍光ランプ１６において最も低温となるランプ最冷部である屈曲側部分を保温することによりランプ最冷部の温度が上昇し、低温化による蛍光ランプ１６内の水銀蒸気圧の低下が抑制されて光出力が高くなるためである。
【００３１】
【発明の効果】請求項１記載の発明のトンネル用照明装置によれば、ランプソケットに保持したランプを照明器具本体内で点灯させた場合、ランプの口金の近傍の発熱領域が最も発熱量が大きくなるが、その熱は遮熱体で遮熱されて合わせガラスに伝わる熱が少なくなるので、ランプから発熱された熱による合わせガラスの温度上昇を抑制することができ、これにより、トンネル用照明装置の透光性カバーとして耐熱温度が低く安価な材料の接着層を用いた合わせガラスを使用することが可能となり、合わせガラスの使用により合わせガラスの破損時においても合わせガラスを形成しているガラスの飛散を防止でき、ガラスの飛散による二次災害を防止することができる。
【００３２】
請求項２記載の発明によれば、請求項１記載の発明のトンネル用照明装置において、前記ランプソケットは、屈曲形の蛍光ランプを保持するので、この屈曲形の蛍光ランプはランプ長が長くなってワット数が高くなるとともにフィラメント近傍の発熱領域からの発熱量がより多い口金の近傍が高熱となるが、その熱を遮熱体で有効に遮熱することができるので、屈曲形の蛍光ランプを使用したトンネル用照明装置であっても耐熱温度が低く安価な接着層を用いた合わせガラスを使用することができる。
【図面の簡単な説明】
【図１】本発明の第一の実施の形態のトンネル用照明装置を示す平面図である。
【図２】その正面図である。
【図３】図１におけるＡ−Ａ線断面図である。
【図４】図１におけるＢ−Ｂ線断面図である。
【図５】本発明の第二の実施の形態のトンネル用照明装置を示す平面図である。
【図６】図５におけるＢ−Ｂ線断面図である。
【図７】保温作用を有する遮熱体を設けた場合と設けない場合とにおける、周囲温度による光束比の変化の実験結果を示すグラフである。
【符号の説明】
２：照明器具本体、３：開口、９：合わせガラス、１２：ランプソケット、１３：反射体、１４：遮熱体、１６：ランプ、蛍光ランプ、１７：口金
【図１】
2004259676.tif 000003
【図２】
2004259676.tif 000004
【図３】
2004259676.tif 000005
【図４】
2004259676.tif 000006
【図５】
2004259676.tif 000007
【図６】
2004259676.tif 000008
【図７】
2004259676.tif 000009